(57)【特許請求の範囲】
【請求項１】
既設コンクリート構造物に形成されたアンカー挿嵌穴に挿入固定されるあと施工アンカーにおいて、
筒状の本体部と、該本体部の先端側に形成され周方向に所定間隔をあけ且つ軸方向に伸びる複数のスリットにより複数に分割され、表面が長方形の板状に形成されバネ性を備えた板状部を有し、前記板状部の先端側に外側に突き出し板状部の厚みより厚い肉厚部を形成し、先端付近の内面が先端側に向かって内側に傾斜するように形成された拡開部と、
該本体部の非拡開部側内面に形成された雌ネジと、
該本体部に挿入可能な略円柱状で、截頭円錐形状の先端部と後端側にアンカー本体に形成した雌ネジと螺合する雄ネジと、後端面に回転工具係合用の六角穴を形成した雄ネジ体と、
を備え、
雄ネジ体の雄ネジをアンカー本体の雌ネジに螺合して雄ネジ体を回転さながら前進させることにより雄ネジ体の先端の載頭円錐形状の先端部を拡開部の先端側に向かって内側に傾斜に内面と当接させ拡開部を拡開し拡開部の先端部の外面をアンカー挿嵌穴の穴壁に押圧してあと施工アンカーをアンカー挿嵌穴に固定し、雄ネジ体を逆方向に回転して後退させることにより拡開部の板状部のバネ性により拡開部の拡開を閉じ回収し再使用可能とすることを特徴的とするあと施工アンカー。
【請求項２】
前記本体部の内面に形成された雌ネジの軸方向の長さを、雄ネジ体の雄ネジが螺合し拡開部を拡開しアンカー挿嵌穴に固定された状態で雄ネジ体の上端から所定の長さ残るようにすることを特徴とする請求項１に記載のあと施工アンカー。
【請求項３】
前記拡開部の板状部が板バネ状であることを特徴とする請求項１又は２に記載のあと施工アンカー。
【請求項４】
前記拡開部を６個とすることを特徴とする請求項１ないし３のいずれか１項に記載のあと施工アンカー。
【発明の詳細な説明】
【技術分野】
【０００１】
本発明は、構造物に形成されたアンカー挿嵌穴に挿入固定されるあと施工アンカーに関する。
【背景技術】
【０００２】
従来より、既設コンクリート構造物等の構造物に形成されたアンカー挿嵌穴に挿入固定されるあと施工アンカーとして、各種のものが用いられている。例えば、特許文献１のあと施工アンカーは、単一のパイプ材を押圧鍛造に処して形成され、第１ボルト部と第２ボルト部とを、連結部にて連結させたワンピース品であり、第１ボルト部は、パイプ材を縮径するよう押圧鍛造にて賦形したテーパー部を有し、第２ボルト部は、ボルト先端に４筋のスリットと凹凸部を備えるよう押圧鍛造により賦形され、凹凸部の裏面範囲の内周壁をテーパー部の外周壁面に接合する案内面とし、連結部は、ボルト先端にて第１ボルト部と第２ボルト部とを繋ぐよう形成された鍛造痕であり、薄肉で破断可能な構造となっている。
【０００３】
また、本願発明者は、特許文献２に示すあと施工アンカーを出願している。特許文献２のあと施工アンカーは、筒状の本体部と、本体部の先端側に形成され周方向に所定間隔をあけ且つ軸方向へ延びる複数のスリットを有する拡開部と、拡開部の内面に形成された雌ネジと、雌ネジに螺合される雄ネジ体とを有し、雌ネジが形成された拡開部の内面は先端側へ行くに従って徐々に小径となるように形成され、雄ネジ体を雌ネジに螺合させて本体部の先端側へ進行させるに従って拡開部が開いて拡径し、雄ネジ体を後退させるに従って拡径した拡開部が閉じる構造を有している。
【先行技術文献】
【特許文献】
【０００４】
【特許文献１】特開２０１２−２３３４９０号公報
【特許文献２】特開２０１４−７４３００号公報
【発明の概要】
【発明が解決しようとする課題】
【０００５】
しかしながら、特許文献１に示される従来のあと施工アンカーでは、一旦使用すると抜き取って再度使用することはできない。また、引用文献２のあと施工アンカーでは、繰り返し使用が可能だが、抜き取り易さ等についてより一層の改善が求められている。
【０００６】
本発明は、このような事情に鑑みてなされたもので、繰り返し使用可能で、抜き取りが容易に可能なあと施工アンカーを提供することにある。
【課題を解決するための手段】
【０００７】
本発明のあと施工アンカーは、前記課題を解決するために、既設コンクリート構造物に形成されたアンカー挿嵌穴に挿入固定されるあと施工アンカーにおいて、筒状の本体部と、該本体部の先端側に形成され周方向に所定間隔をあけ且つ軸方向に伸びる複数のスリットにより複数に分割され、表面が長方形の板状に形成されバネ性を備えた板状部を有し、前記板状部の先端側に外側に突き出し板状部の厚みより厚い肉厚部を形成し、先端付近の内面が先端側に向かって内側に傾斜するように形成された拡開部と、該本体部の非拡開部側内面に形成された雌ネジと、該本体部に挿入可能な略円柱状で、截頭円錐形状の先端部と後端側にアンカー本体に形成した雌ネジと螺合する雄ネジと、後端面に回転工具係合用の六角穴を形成した雄ネジ体と、を備え、雄ネジ体の雄ネジをアンカー本体の雌ネジに螺合して雄ネジ体を回転さながら前進させることにより雄ネジ体の先端の載頭円錐形状の先端部を拡開部の先端側に向かって内側に傾斜に内面と当接させ拡開部を拡開し拡開部の先端部の外面をアンカー挿嵌穴の穴壁に押圧してあと施工アンカーをアンカー挿嵌穴に固定し、雄ネジ体を逆方向に回転して後退させることにより拡開部の板状部のバネ性により拡開部の拡開を閉じ回収し再使用可能とすることを特徴的とする。
【０００８】
また、本発明のあと施工アンカーは、前記本体部の内面に形成された雌ネジの軸方向の長さを、雄ネジ体の雄ネジが螺合し拡開部を拡開しアンカー挿嵌穴に固定された状態で雄ネジ体の上端から所定の長さ残るようにすることを特徴とする。
【０００９】
また、本発明のあと施工アンカーは、前記拡開部の板状部が板バネ状であることを特
徴とする。
【００１０】
また、本発明のあと施工アンカーは、前記拡開部を６個とすることを特徴とする。
【発明の効果】
【００１１】
本願の発明によれば、拡開部の板状部が板バネ状でバネ性を有するため、繰り返し使用可能で、抜き取りが用に可能である。
【図面の簡単な説明】
【００１２】
【図１】本発明に係るあと施工アンカーの一例を示す斜視図である。
【図２】同あと施工アンカーの縦断面図である。
【図３】図２のＡ−Ａ矢線端面図である。
【図４】図２のＢ−Ｂ矢線端面図である。
【図５】同あと施工アンカーに用いる雄ネジ体の正面図及び側面図である。
【図６】同あと施工アンカーの使用方法を示す説明図である。
【図７】同あと施工アンカーの使用方法を示す説明図である。
【図８】同あと施工アンカーの使用方法を示す説明図である。
【図９】同あと施工アンカーの使用方法を示す説明図である。
【図１０】同あと施工アンカーの使用方法を示す説明図である。
【発明を実施するための形態】
【００１３】
以下、本発明の形態について図面を参照しながら具体的に説明する。図１は、本発明に係るあと施工アンカーの一例を示す斜視図である。図２は、同あと施工アンカーの縦断面図である。図３は、図２のＡ−Ａ矢線端面図である。図４は、図２のＢ−Ｂ矢線端面図である。図５は、同あと施工アンカーに用いる雄ネジ体の正面図及び側面図である。図６〜図１０は、同あと施工アンカーの使用方法を示す説明図である。
【００１４】
図におけるあと施工アンカー１は、既設コンクリート構造物に形成されたアンカー挿嵌穴に挿入固定されるアンカーである。
【００１５】
あと施工アンカー１は、基本構成として、それぞれ金属製の筒状の本体部１０と雄ネジ体３０とで構成されている。本体部１０は、本体部１０の先端側に形成された周方向に所定間隔をあけ且つ軸方向へ伸びる複数のスリット１６で複数に分割された拡開部２０を有している。また、本体部１０の非拡開部側の内面には、雌ネジ１８が形成されている。
【００１６】
拡開部２０は、その長手方向の一部が表面が長方形の板状に形成されバネ性を備えた板状部２２を有する。この拡開部２０の板状部２２は、筒状の本体部１０の外側面を削り落したように成形することにより（削落部２２ａを設けることにより）、板状になっている。また、拡開部２０の先端付近の先端部内面２４ａが、先端部２４側に向かって内側に向かって傾斜するように形成されている。
【００１７】
拡開部２０の板状部２２は、板バネ状に形成されている。
【００１８】
また、図３に示すように、複数の拡開部２０の板状部２２の外周面が、全体として多角形状であり、特に、図の例では、複数の拡開部２０の板状部２２の外周面が、全体として六角形状である。但し、スリット１６の数にもよるが、必ずしも六角形である必要はないが、あと施工アンカー１の諸性能を考慮すると図の形態が特に好ましい。
【００１９】
本体部１０の拡開部２０と反対の端部には、外周に沿って鍔部１２が設けられている。そして、その鍔部１２と本体部１０の外周面との間に、数枚の板状の突起１４が伸設されている。
【００２０】
雄ネジ体３０は、本体部１０の内側に挿入可能な略円柱状で、先端側に截頭円錐形状の先端部３４と、後端側に本体部に形成した雌ネジと螺合する雄ネジ３２と、後端面に回転工具係合用の六角穴３６が穿設されている。
【００２１】
以上のように形成されたあと施工アンカー１の使用方法を説明する。まず、コンクリート構造物Ｃのあと施工アンカー１を挿嵌させたい位置に、ドリルを用いてアンカー挿嵌穴ＣＨの穿穴を行う（図６を参照）。アンカー挿嵌穴ＣＨの深さは、あと施工アンカー１が、挿入して収まる深さであり、穴径は、あと施工アンカー１の外径よりわずかに大きいサイズである。
【００２２】
次に、あと施工アンカー１を、アンカー挿嵌穴ＣＨに挿入する。図７に示すように、あと施工アンカー１の鍔部１２が、アンカー挿嵌穴ＣＨの開口入口の周囲に掛かるところまで挿入する。そして、あと施工アンカー１の本体部１０に、雄ネジ体３０を、先端部３４から挿入する（図７を参照）。
【００２３】
あと施工アンカー１の本体部１０に、雄ネジ体３０を挿入していくと、雄ネジ体３０の雄ネジ３２が本体部１０の雌ネジ１８に至り、そこから、六角穴３６に挿嵌させた六角レンチ（図示せず）を回転させることにより、雄ネジ３２と雌ネジ１８とが螺合し、雄ネジ体３０がさらに奥に進んでいく。
【００２４】
雄ネジ体３０が先端部２４方向に進むと、雄ネジ体３０の先端部３４が、拡開部２０の先端部内面２４ａに当接する。雄ネジ体３０をさらに前進させると、前進に従って、雄ネジ体３０の先端部３４が、拡開部２０の先端部２４を外側に拡径させる（図８参照）。これにより、拡開部２０が、アンカー挿嵌穴ＣＨの径よりも大きくせり出し、コンクリート構造物Ｃに係止されることになる。
【００２５】
尚、図８に示されるように、あと施工アンカー１がコンクリート構造物Ｃに係止された状態で、本体部１０の雌ネジ１８のアンカー挿嵌穴ＣＨの開口入口側は開放されるので、この開放された雌ネジ１８に、例えば足場を固定するためのネジを螺挿したりして、あと施工アンカー１を使用する（すなわち、雄ネジ体３０の長さと雄ネジ３２の位置及び本体部１０の雌ネジ１８の位置と深さは、拡開部２０が拡径した状態で保持された時に、雌ネジ１８が開放されるような関係の構成に形成されている）。
【００２６】
また、コンクリート構造物Ｃからあと施工アンカー１を脱抜させる時は、雄ネジ体３０を逆転させて後退させる。雄ネジ体３０を後退させるに従って、拡径した拡開部２０が板状部２２のバネ性により元の形状に戻ろうとして閉じることになる。これにより、拡開部２０が元の径になり（図９を参照）、あと施工アンカー１をコンクリート構造物Ｃのアンカー挿嵌穴ＣＨを抜くようにすればよい（図１０を参照）。
【００２７】
以上のような本実施の形態のあと施工アンカーによれば、拡開部２０の長手方向の一部が表面が長方形の板状に形成されバネ性を備えた板状部２２有することから、繰り返し使用可能で抜き取りが容易に可能である。特に拡開部２０の板状部２２を板バネ状とすることで、拡開部２０の戻り性能が向上し、抜き取りがより一層容易に可能になる。
【００２８】
また、複数の拡開部２０の板状部２２の外周面が、全体として多角形状にすることで、丸穴であるコンクリート構造物Ｃのアンカー挿嵌穴ＣＨに対し、直線的に楔が入るような形態になり、引抜強度を向上させることができる。特に、複数の拡開部２０の板状部２２の外周面が、全体として六角形状にすることで、円に近い形状でありながら直線的に楔が入るような形態になり、繰り返し使用の上で、強固に楔が入りすぎずその一方でアンカーとして必要な引張強度を確保することが可能である。
【産業上の利用可能性】
【００２９】
以上のように、本発明によれば、繰り返し使用可能で、抜き取りが容易に可能なあと施工アンカーを提供することができる。
【符号の説明】
【００３０】
１・・・・・あと施工アンカー
１０・・・・本体部
１２・・・・鍔部
１４・・・・突起
１６・・・・スリット
１８・・・・雌ネジ
２０・・・・拡開部
２２・・・・板状部
２２ａ・・・削落部
２４・・・・先端部
２４ａ・・・先端部内面
３０・・・・雄ネジ体
３２・・・・雄ネジ
３４・・・・先端部
３６・・・・六角穴
【要約】
【課題】
拡開部の長手方向の全部又は一部が、軸垂直断面視で長方形状の板状で、繰り返し使用可能で、抜き取りが容易に可能である。
【解決手段】
筒状の本体部と、本体部の先端側に形成され周方向に所定間隔をあけ且つ軸方向へ伸びる複数のスリットで複数に分割された拡開部と、本体部の非拡開部側の内面に形成された雌ネジと、本体部に挿入可能な略円柱状で、後端側が雌ネジに螺合される雄ネジ体とを備え、拡開部の長手方向の全部又は一部が、軸垂直断面視で略長方形状の板状の板状部であり、拡開部の先端付近の内面が、先端側へ行くに従って徐々に小径となるように形成され、雄ネジ体を雌ネジに螺合させて本体部の先端側へ前進させるに従って、雄ネジ体の先端部が拡開部の内面に当接して拡開部が開いて拡径し、雄ネジ体を後退させるに従って拡径した拡開部が閉じることを特徴とする。
【選択図】図１【図１】
0005946202.tif 000002
【図２】
0005946202.tif 000003
【図３】
0005946202.tif 000004
【図４】
0005946202.tif 000005
【図５】
0005946202.tif 000006
【図６】
0005946202.tif 000007
【図７】
0005946202.tif 000008
【図８】
0005946202.tif 000009
【図９】
0005946202.tif 000010
【図１０】
0005946202.tif 000011